(57)【要約】【課題】プリント配線板同士を接続する際に、プリント配線板を損傷させることがなく、容易に接続可能で、しかも良好な電気接続性を実現できるコネクタの提供を課題とする。【解決手段】雄側プリント配線板１００の配線部１２２と電気接続される導電部を有する雄型接続部材１１１を備えた雄コネクタ１１０と、雌側プリント配線板２００の配線部２２２と電気接続される導電部を有する雌型接続部材２１１を備えた雌コネクタ２１０とから構成され、雄型接続部材１１１を雌型接続部材２１１に対して弾性嵌合させることで、雄側プリント配線板１００と雌側プリント配線板２００とを連結固定させると共に、雄型接続部材１１１の導電部と雌型接続部材２１１の導電部との導通をもって雄側プリント配線板１００と雌側プリント配線板２００との電気接続も完成させることを特徴とするコネクタである。【選択図】      図１
2010257783.tif 000002
【特許請求の範囲】
【請求項１】
一方のプリント配線板と他方のプリント配線板とを連結固定させると共に、相互のプリント配線板の配線部の電気接続も完成させるようにしたコネクタであって、前記コネクタは、前記一方又は前記他方のプリント配線板の配線部と電気接続される導電部を有する雄型接続部材を備えた雄コネクタと、前記一方又は前記他方のプリント配線板の配線部と電気接続される導電部を有する雌型接続部材を備えた雌コネクタとから構成され、前記雄型接続部材を前記雌型接続部材に対して着脱可能に弾性嵌合させることで、前記一方のプリント配線板と前記他方のプリント配線板とを連結固定させると共に、前記雄型接続部材の導電部と前記雌型接続部材の導電部との導通をもって前記一方のプリント配線板と前記他方のプリント配線板との電気接続も完成させることを特徴とするコネクタ。
【請求項２】
雄型接続部材は、突条に形成された導電性金属からなることを特徴とする請求項１に記載のコネクタ。
【請求項３】
雄型接続部材の導電部は、突条に形成された雄型接続部材の外表面を導電性金属で被覆してなることを特徴とする請求項１又は２に記載のコネクタ。
【請求項４】
雌型接続部材は、溝条に形成された導電性金属からなることを特徴とする請求項１〜３の何れか１項に記載のコネクタ。
【請求項５】
雌型接続部材の導電部は、溝条に形成された雌型接続部材の内表面を導電性金属で被覆してなることを特徴とする請求項１〜４の何れか１項に記載のコネクタ。
【請求項６】
雌型接続部材の導電部は、雄型接続部材の弾性嵌合を許容する一対の受片で形成された溝条受部内に配設されたプリント配線板の配線部からなることを特徴とする請求項１〜３の何れか１項に記載のコネクタ。
【請求項７】
雌型接続部材は、断面形状を馬蹄状とする直線条体からなることを特徴とする請求項１〜６の何れか１項に記載のコネクタ。
【請求項８】
雄コネクタは、複数の雄型接続部材を備えると共に、雌コネクタは、前記雄型接続部材に対応するように配設してある複数の雌型接続部材を備えることを特徴とする請求項１〜７の何れか１項に記載のコネクタ。
【請求項９】
請求項１〜８の何れか１項に記載の雄コネクタと、請求項１〜８の何れか１項に記載の雌コネクタとを構成の一部とした電気接続構造体であって、雄型接続部材を雌型接続部材に対して着脱可能に弾性嵌合させることで、一方のプリント配線板と他方のプリント配線板とを連結固定させると共に、雄型接続部材の導電部と雌型接続部材の導電部との導通をもって一方のプリント配線板と他方のプリント配線板との電気接続も完成させることを特徴とする電気接続構造体。
【請求項１０】
請求項１〜８の何れか１項に記載の雄コネクタと、請求項１〜８の何れか１項に記載の雌コネクタとの接続方法であって、雄コネクタの雄型接続部材を雌コネクタの雌型接続部材に対して着脱可能に弾性嵌合させることで、一方のプリント配線板と他方のプリント配線板とを連結固定させると共に、雄型接続部材の導電部と雌型接続部材の導電部との導通をもって一方のプリント配線板と他方のプリント配線板との電気接続も完成させることを特徴とする雄コネクタと雌コネクタとの接続方法。
【発明の詳細な説明】
【技術分野】
【０００１】
本発明は、コネクタ、該コネクタを構成する雄コネクタと雌コネクタとを構成の一部とした電気接続構造体、前記コネクタを構成する雄コネクタと雌コネクタとの接続方法に関する。
【背景技術】
【０００２】
従来、プリント配線板等の導電性部材同士の接続に用いられるコネクタとして、ハウジング内に導電性部材を差し込んだ状態で、一対の接触片を用いて導電性部材を挾持し、導電性部材同士を接続するものがあった。
そのようなものとして、下記特許文献１がある。
下記特許文献１は、コネクタに関する発明で、接触部６ａ、７ａとで導電性部材を挾持する構成が開示されている。
【先行技術文献】
【特許文献】
【０００３】
【特許文献１】特開平７−１９２８２２号公報
【発明の概要】
【発明が解決しようとする課題】
【０００４】
上記特許文献１に示すコネクタでは、導電性部材を小さな操作力で接続及び接続解除することができるメリットがある。
しかし上記特許文献１に示すコネクタでは、第１接触片６と第２接触片７とに形成した接触部６ａ、７ａとで導電性部材を挾持する構成であることから、挾持時、つまり導電性部材同士の接続時に導電性部材を損傷させ易いという問題があった。
【０００５】
そこで本発明は上記従来における問題点を解決し、プリント配線板同士を接続する際に、プリント配線板を損傷させることがなく、容易に接続可能で、しかも良好な電気接続性を実現できるコネクタ、該コネクタを構成する雄コネクタと雌コネクタとを構成の一部とした電気接続構造体、前記コネクタを構成する雄コネクタと雌コネクタとの接続方法の提供を課題とする。
【課題を解決するための手段】
【０００６】
本発明のコネクタは、一方のプリント配線板と他方のプリント配線板とを連結固定させると共に、相互のプリント配線板の配線部の電気接続も完成させるようにしたコネクタであって、前記コネクタは、前記一方又は前記他方のプリント配線板の配線部と電気接続される導電部を有する雄型接続部材を備えた雄コネクタと、前記一方又は前記他方のプリント配線板の配線部と電気接続される導電部を有する雌型接続部材を備えた雌コネクタとから構成され、前記雄型接続部材を前記雌型接続部材に対して着脱可能に弾性嵌合させることで、前記一方のプリント配線板と前記他方のプリント配線板とを連結固定させると共に、前記雄型接続部材の導電部と前記雌型接続部材の導電部との導通をもって前記一方のプリント配線板と前記他方のプリント配線板との電気接続も完成させることを第１の特徴としている。
【０００７】
上記本発明の第１の特徴によれば、一方のプリント配線板と他方のプリント配線板とを連結固定させると共に、相互のプリント配線板の配線部の電気接続も完成させるようにしたコネクタであって、前記コネクタは、前記一方又は前記他方のプリント配線板の配線部と電気接続される導電部を有する雄型接続部材を備えた雄コネクタと、前記一方又は前記他方のプリント配線板の配線部と電気接続される導電部を有する雌型接続部材を備えた雌コネクタとから構成され、前記雄型接続部材を前記雌型接続部材に対して着脱可能に弾性嵌合させることで、前記一方のプリント配線板と前記他方のプリント配線板とを連結固定させると共に、前記雄型接続部材の導電部と前記雌型接続部材の導電部との導通をもって前記一方のプリント配線板と前記他方のプリント配線板との電気接続も完成させる構成としてあることから、一方のプリント配線板と他方のプリント配線板との接続時にプリント配線板を挾持することがない。よってプリント配線板同士の接続時にプリント配線板を損傷させることがない。またプリント配線板同士を容易に連結固定できると共に、相互の電気接続も確実に完成させることができる。
【０００８】
また本発明のコネクタは、上記本発明の第１の特徴に加えて、雄型接続部材は、突条に形成された導電性金属からなることを第２の特徴としている。
【０００９】
上記本発明の第２の特徴によれば、上記本発明の第１の特徴による作用効果に加えて、雄型接続部材は、突条に形成された導電性金属からなることから、導電性を備えた雄型接続部材とすることができる。
【００１０】
また本発明のコネクタは、上記本発明の第１又は第２の特徴に加えて、雄型接続部材の導電部は、突条に形成された雄型接続部材の外表面を導電性金属で被覆してなることを第３の特徴としている。
【００１１】
上記本発明の第３の特徴によれば、上記本発明の第１又は第２の特徴による作用効果に加えて、雄型接続部材の導電部は、突条に形成された雄型接続部材の外表面を導電性金属で被覆してなることから、製造コストを抑えたコネクタとすることができる。
【００１２】
また本発明のコネクタは、上記本発明の第１〜第３の何れか１つの特徴に加えて、雌型接続部材は、溝条に形成された導電性金属からなることを第４の特徴としている。
【００１３】
上記本発明の第４の特徴によれば、上記本発明の第１〜第３の何れか１つの特徴による作用効果に加えて、雌型接続部材は、溝条に形成された導電性金属からなることから、導電性を備えた雌型接続部材とすることができる。
【００１４】
また本発明のコネクタは、上記本発明の第１〜第４の何れか１つの特徴に加えて、雌型接続部材の導電部は、溝条に形成された雌型接続部材の内表面を導電性金属で被覆してなることを第５の特徴としている。
【００１５】
上記本発明の第５の特徴によれば、上記本発明の第１〜第４の何れか１つの特徴による作用効果に加えて、雌型接続部材の導電部は、溝条に形成された雌型接続部材の内表面を導電性金属で被覆してなることから、雄型接続部材を雌型接続部材に弾性嵌合させるだけで、一方のプリント配線板と他方のプリント配線板との連結固定を容易に行うことができると共に、相互のプリント配線板の配線部の電気接続も確実に完成させることができる。
【００１６】
また本発明のコネクタは、上記本発明の第１〜第３の何れか１つの特徴に加えて、雌型接続部材の導電部は、雄型接続部材の弾性嵌合を許容する一対の受片で形成された溝条受部内に配設されたプリント配線板の配線部からなることを第６の特徴としている。
【００１７】
上記本発明の第６の特徴によれば、上記本発明の第１〜第３の何れか１つの特徴による作用効果に加えて、雌型接続部材の導電部は、雄型接続部材の弾性嵌合を許容する一対の受片で形成された溝条受部内に配設されたプリント配線板の配線部からなることから、プリント配線板の配線部を雌型接続部材の導電部とすることで、製造効率及び製造コストを向上させることができるコネクタとすることができる。
【００１８】
また本発明のコネクタは、上記本発明の第１〜第６の何れか１つの特徴に加えて、雌型接続部材は、断面形状を馬蹄状とする直線条体からなることを第７の特徴としている。
【００１９】
上記本発明の第７の特徴によれば、上記本発明の第１〜第６の何れか１つの特徴による作用効果に加えて、雌型接続部材は、断面形状を馬蹄状とする直線条体からなることから、断面形状を馬蹄状とする雌型接続部材とすることで、雄型接続部材の抜けを防止でき、良好な接続状態を実現できるコネクタとすることができる。
【００２０】
また本発明のコネクタは、上記本発明の第１〜第７の何れか１つの特徴に加えて、雄コネクタは、複数の雄型接続部材を備えると共に、雌コネクタは、前記雄型接続部材に対応するように配設してある複数の雌型接続部材を備えることを第８の特徴としている。
【００２１】
上記本発明の第８の特徴によれば、上記本発明の第１〜第７の何れか１つの特徴による作用効果に加えて、雄コネクタは、複数の雄型接続部材を備えると共に、雌コネクタは、前記雄型接続部材に対応するように配設してある複数の雌型接続部材を備えることから、プリント配線板同士の接続箇所を複数個とすることができ、接続強度を向上させることができる。
【００２２】
また本発明の電気接続構造体は、上記第１〜第８の何れか１つの特徴に記載の雄コネクタと、上記第１〜第８の何れか１つの特徴に記載の雌コネクタとを構成の一部とした電気接続構造体であって、雄型接続部材を雌型接続部材に対して着脱可能に弾性嵌合させることで、一方のプリント配線板と他方のプリント配線板とを連結固定させると共に、雄型接続部材の導電部と雌型接続部材の導電部との導通をもって一方のプリント配線板と他方のプリント配線板との電気接続も完成させることを第９の特徴としている。
【００２３】
上記本発明の第９の特徴によれば、上記第１〜第８の何れか１つの特徴に記載の雄コネクタと、上記第１〜第８の何れか１つの特徴に記載の雌コネクタとを構成の一部とした電気接続構造体であって、雄型接続部材を雌型接続部材に対して着脱可能に弾性嵌合させることで、一方のプリント配線板と他方のプリント配線板とを連結固定させると共に、雄型接続部材の導電部と雌型接続部材の導電部との導通をもって一方のプリント配線板と他方のプリント配線板との電気接続も完成させる構成としてあることから、プリント配線板同士を接続する際にプリント配線板を損傷させることがなく、容易に接続可能で、しかも良好な電気接続性を実現できる雄コネクタと雌コネクタとを構成の一部とした電気接続構造体とすることができる。
【００２４】
また本発明の雄コネクタと雌コネクタとの接続方法は、上記第１〜第８の何れか１つの特徴に記載の雄コネクタと、上記第１〜第８の何れか１つの特徴に記載の雌コネクタとの接続方法であって、雄コネクタの雄型接続部材を雌コネクタの雌型接続部材に対して着脱可能に弾性嵌合させることで、一方のプリント配線板と他方のプリント配線板とを連結固定させると共に、雄型接続部材の導電部と雌型接続部材の導電部との導通をもって一方のプリント配線板と他方のプリント配線板との電気接続も完成させることを第１０の特徴としている。
【００２５】
上記本発明の第１０の特徴によれば、上記第１〜第８の何れか１つの特徴に記載の雄コネクタと、上記第１〜第８の何れか１つの特徴に記載の雌コネクタとの接続方法であって、雄コネクタの雄型接続部材を雌コネクタの雌型接続部材に対して着脱可能に弾性嵌合させることで、一方のプリント配線板と他方のプリント配線板とを連結固定させると共に、雄型接続部材の導電部と雌型接続部材の導電部との導通をもって一方のプリント配線板と他方のプリント配線板との電気接続も完成させる構成としてあることから、プリント配線板同士を接続する際にプリント配線板を損傷させることがなく、容易に接続可能で、しかも良好な電気接続性を実現できる雄コネクタと雌コネクタとの接続方法とすることができる。
【発明の効果】
【００２６】
本発明のコネクタ、該コネクタを構成する雄コネクタと雌コネクタとを構成の一部とした電気接続構造体、前記コネクタを構成する雄コネクタと雌コネクタとの接続方法によれば、プリント配線板同士を接続する際に、プリント配線板を損傷させることがなく、容易に接続可能で、しかも良好な電気接続性を実現できるコネクタ、該コネクタを構成する雄コネクタと雌コネクタとを構成の一部とした電気接続構造体、前記コネクタを構成する雄コネクタと雌コネクタとの接続方法とすることができる。
【図面の簡単な説明】
【００２７】
【図１】本発明の実施形態に係る電気接続構造体の斜視図で、（ａ）は雄コネクタと雌コネクタとを接続させた状態を示し、（ｂ）は接続を解除した状態を示す。
【図２】本発明の実施形態に係る雄側プリント配線板を示し、（ａ）は図１のＡ−Ａ線方向における断面図、（ｂ）は、図１のＢ−Ｂ線方向における断面図である。
【図３】本発明の実施形態に係る雌側プリント配線板を示し、（ａ）は図１のＣ−Ｃ線方向における断面図、（ｂ）は図１のＤ−Ｄ線方向における断面図である。
【図４】本発明の実施形態に係る雌側プリント配線板の変形例を示す斜視図である。
【発明を実施するための形態】
【００２８】
以下の図面を参照して、本発明の実施形態に係る電気接続構造体及び雄コネクタと雌コネクタとの接続方法を説明し、本発明の理解に供する。しかし、以下の説明は本発明の実施形態であって、特許請求の範囲に記載の内容を限定するものではない。
【００２９】
まず図１〜図３を参照して、本発明の実施形態に係る電気接続構造体を説明する。
【００３０】
本発明の実施形態に係る電気接続構造体１は、一方のプリント配線板と他方のプリント配線板とを連結固定させると共に、相互のプリント配線板の配線部の電気接続も完成させるようにした雄コネクタと雌コネクタとを構成の一部とする電気接続構造体である。
【００３１】
この電気接続構造体１は、図１に示すように、雄側プリント配線板１００と、雌側プリント配線板２００とから構成される。
【００３２】
前記雄側プリント配線板１００は、雄コネクタを備えるプリント配線板であり、図１に示すように、雄コネクタ１１０と、プリント配線板１２０とから構成される。
【００３３】
前記雄コネクタ１１０は、プリント配線板１２０を後述する雌側プリント配線板２００のプリント配線板２２０と連結固定させると共に、電気接続も完成させるためのものである。
この雄コネクタ１１０は、図２に示すように、雄型接続部材１１１と、導電部１１２とから構成される。
【００３４】
前記雄型接続部材１１１は、プリント配線板１２０を雌側プリント配線板２００のプリント配線板２２０と連結固定させるためのものである。
この雄型接続部材１１１は、図１、図２に示すように、突条に形成されている。
雄型接続部材１１１の材質としては、ポリエチレン、ポリイミド、エポキシ等、プリント配線板を形成する樹脂として通常用いられるものであれば如何なるものであってもよい。また雄型接続部材１１１の成形方法としては、射出成形等、樹脂成形方法として通常用いられるものであれば、如何なるものであってもよい。
成形された雄型接続部材１１１は、接着剤等の接合用材を介してプリント配線板１２０上に固定される。勿論、このような構成に限るものではなく、雄型接続部材１１１は、後述する基板１２１と一体成形する構成であってもよい。
【００３５】
前記導電部１１２は、プリント配線板１２０を雌側プリント配線板２００のプリント配線板２２０と電気接続させるためのものである。
この導電部１１２は、図２に示すように、雄型接続部材１１１の外表面を導電性金属で被覆することで形成され、これによって導電部１１２を有する雄型接続部材１１１が形成される。
導電性金属としては、銅、金、ニッケル等の良導電性金属を用いることができる。また雄型接続部材１１１の外表面への被覆方法としては、めっき等、雄型接続部材１１１の外表面に導電性金属を被覆することができるものであれば如何なるものであってもよい。
なお導電部１１２の被覆厚は、１０μｍ〜２０μｍとすることが望ましい。
【００３６】
前記プリント配線板１２０は、図１、図２に示すように、基板１２１と、配線部１２２とから構成される。
基板１２１としては、フレキシブル基板、リジッド基板、ガラス基板等、プリント配線板として通常用いられるものであれば如何なるものであってもよい。またその材質もポリエチレン、ポリイミド、エポキシ等、プリント配線板として通常用いられるものであれば如何なるものであってもよい。
また配線部１２２としては、銅箔等、プリント配線板の配線部を構成するものとして通常用いられるものであれば如何なるものであってもよい。
なお図２（ｂ）に示す配線部１２２の厚み１２２ａは、１ｍｍ〜２ｍｍであることが望ましい。
【００３７】
ここで導電部１１２は、図２（ｂ）に示すように、端面１１２ａで配線部１２２と接続されている。このような構成とすることで、導電部１１２と配線部１２２とを電気接続させることができる。
【００３８】
前記雌側プリント配線板２００は、雌コネクタを備えるプリント配線板であり、図１に示すように、雌コネクタ２１０と、プリント配線板２２０とから構成される。
【００３９】
前記雌コネクタ２１０は、プリント配線板２２０を雄側プリント配線板１００のプリント配線板１２０と連結固定させると共に、電気接続も完成させるためのものである。
この雌コネクタ２１０は、図３に示すように、雌型接続部材２１１と、導電部２１２とから構成される。
【００４０】
前記雌型接続部材２１１は、プリント配線板２２０を雄側プリント配線板１００のプリント配線板１２０と連結固定させるためのものである。
この雌型接続部材２１１は、図３に示すように、断面形状を馬蹄状とする溝条に形成されている。
雌型接続部材２１２の材質としては、ポリエチレン、ポリイミド、エポキシ等、プリント配線板を形成する樹脂として通常用いられるものであれば如何なるものであってもよい。また雌型接続部材２１１の成形方法としては、射出成型等、樹脂成形方法として通常用いられるものであれば如何なるものであってもよい。
成形された雌型接続部材２１１は、接着剤等の接合用材を介してプリント配線板２２０上に固定される。勿論、このような構成に限るものではなく、雌型接続部材２１１は、後述する基板２２１と一体成形する構成であってもよい。
【００４１】
前記導電部２１２は、プリント配線板２２０を雄側プリント配線板１００のプリント配線板１２０と電気接続させるためのものである。
この導電部２１２は、図３に示すように、雌型接続部材２１１の内表面を導電性金属膜で被覆することで形成され、これによって導電部２１２を有する雌型接続部材２１１が形成される。
導電性金属としては、銅、金、ニッケル等の良導電性金属を用いることができる。また雌型接続部材２１１の内表面への被覆方法としては、めっき等、雌型接続部材２１１の内表面に導電性金属を被覆することができるものであれば如何なるものであってもよい。
なお導電部２１２の被覆厚は、１０μｍ〜２０μｍとすることが望ましい。
【００４２】
前記プリント配線板２２０は、図１、図２に示すように、基板２２１と、配線部２２２とから構成される。
基板２２１としては、フレキシブル基板、リジッド基板、ガラス基板等、プリント配線板として通常用いられるものであれば如何なるものであってもよい。またその材質もポリエチレン、ポリイミド、エポキシ等プリント配線板として通常用いられるものであれば如何なるものであってもよい。
また配線部２２２としては、銅箔等、プリント配線板の配線部を構成するものとして通常用いられるものであれば如何なるものであってもよい。
なお図３（ｂ）に示す配線部２２２の厚み２２２ａは、１０μｍ〜５０μｍであることが望ましい。
【００４３】
ここで導電部２１２は、図３（ｂ）に示すように、端面２１２ａで配線部２２２と接続されている。このような構成とすることで、導電部２１２と配線部２２２とを電気接続させることができる。
【００４４】
次に図１〜図３を参照して、雄コネクタ１１０と雌コネクタ２１０との接続方法を説明する。
【００４５】
まず図１（ｂ）を参照して、雄コネクタ１１０と雌コネクタ２１０とが対向するように、雄側プリント配線板１００と雌側プリント配線板２００とを配置する。
そして雄コネクタ１１０の雄型接続部材１１１を雌コネクタ２１０の雌型接続部材２１１に対して弾性嵌合させる。これによって、図１（ａ）に示すように、雄側プリント配線板１００のプリント配線板１２０と、雌側プリント配線板２００のプリント配線板２２０とが連結固定される。
【００４６】
ここで雌型接続部材２１１は、図１（ｂ）、図３（ａ）に示すように、溝条で且つ断面形状を馬蹄状としている。つまり図３（ａ）に示すように、雌型接続部材２１１を構成する一対の受片２１１ａ、２１１ａの先端部Ｌが内向き傾斜した形状をなしている。
また雄型接続部材１１１も、図１（ｂ）、図２（ａ）に示すように、雌型接続部材２１１の溝条に対応する突条で且つ外周形状を馬蹄状としている。
よって図１（ａ）に示すように、雄型接続部材１１１を雌型接続部材２１１に対して弾性嵌合させた状態において、雌型接続部材２１１の先端部Ｌにより、雄型接続部材１１１の抜けを防止することができる。従って良好な接続状態を実現できる雄コネクタ１１０及び雌コネクタ２１０とすることができる。
しかも雄側プリント配線板１００と雌側プリント配線板２００との接続は、雄型接続部材１１１を雌型接続部材２１１に弾性嵌合させるのみで実現されているので、接続解除が必要な場合には、接続解除を容易に行うことができる。
【００４７】
また雄型接続部材１１１及び雌型接続部材２１１の形状は、図１〜図３に示すように、共に直線条体である。よって雄型接続部材１１１の外表面と雌型接続部材２１１の内表面とを面接触させた状態で弾性嵌合させることができる。従って一段と良好な接続状態を実現できる雄コネクタ１１０及び雌コネクタ２１０とすることができる。
【００４８】
更に図１に示すように、雄コネクタ１１０は、所定の間隔を有して平行に配設してある３個の雄型接続部材１１１を備えると共に、雌コネクタ２１０は、雄型接続部材１１１に対応するように所定の間隔を有して平行に配設してある３個の雌型接続部材２１１を備える構成としている。
よって雄側プリント配線板１００と雌側プリント配線板２００との接続を複数箇所で行うことができる。よって良好な接続強度を有する電気接合構造体１とすることができる。
【００４９】
また雄型接続部材１１１は、図２（ａ）に示すように、外表面に導電部１１２を有しており、雌型接続部材２１１は、図３（ａ）に示すように、内表面に導電部２１２を有している。よって雄型接続部材１１１を雌型接続部材２１１に対して弾性嵌合させるだけで、導電部１１２と導電部２１２とを導通させることができる。
【００５０】
更に雄型接続部材１１１の導電部１１２は、図２（ｂ）に示すように、プリント配線板１２０の配線部１２２と電気接続されている。また雌型接続部材２１１の導電部２１２は、図３（ｂ）に示すように、プリント配線板２２０の配線部２２２と電気接続されている。
よって導電部１１２と導電部２１２の導通をもって、配線部１２２と配線部２２２とが導通される。つまりプリント配線板１２０とプリント配線板２２０との電気接続が完成される。
【００５１】
ここで導電部１１２は、図１、図２に示すように、雄型接続部材１１１の外表面全体を導電性金属で被覆することで形成されている。また導電部２１２は、図１、図３に示すように、雌型接続部材２１１の内表面全体を導電性金属で被覆することで形成されている。
よって導電部１１２と導電部２１２との導通は、面接触した状態で行われる。よって導通面積を大きくすることができ、電気的接続性の良好な電気接続構造体１とすることができる。
【００５２】
以上の工程を経て、雄コネクタ１１０と雌コネクタ２１０とが接続される。つまり雄側プリント配線板１００と雌側プリント配線板２００とが連結固定されると共に、電気接続も完成され、電気接続構造体１が形成される。
【００５３】
次に図４を参照して、本発明の実施形態に係る雌側プリント配線板の変形例を説明する。この変形例は、既述した本発明の実施形態に比べ、雌コネクタの構成を変形したものである。その他の点については、既述した本発明の実施形態に係る雌側プリント配線板と同一である。
同一部材、同一機能を果たすものには、同一記号を付し、以下の説明を省略する。
【００５４】
この雌側プリント配線板３００は、図４に示すように、雄型接続部材１１１の弾性嵌合を許容する一対の受片２１１ｂ、２１１ｂで雌型接続部材２１１を構成するものである。また一対の受片２１１ｂで形成された溝条受部Ｍ内にプリント配線板２２０の配線部２２２を配設し、配線部２２２を雌型接続部材２１１の導電部２１２とするものである。
このような構成とすることで、雄側プリント配線板１００の雄型接続部材１１１を雌型接続部材２１１に弾性嵌合させた状態で、導電部２１２たる配線部２２２に導電部１１２を接触させることができる。
よって雄型接続部材１１１を雌型接続部材２１１に対して弾性嵌合させることで、雄側プリント配線板１００と雌側プリント配線板２００とを連結固定させると共に、電気接続も完成させることができる。
【００５５】
なお本発明の実施形態においては、雄型接続部材を樹脂で形成し、雄型接続部材の外表面を導電性金属で被覆することで導電部を形成する構成としたが、必ずしもこのような構成に限るものではない。
【００５６】
例えば、雄型接続部材を突条に形成された導電性金属からなる構成とすることができる。
この場合、導電部は、雄型接続部材と一体成形するような構成とすることができる。このような構成とすることで、導電部を有する雄型接続部材を単一の導電性金属で形成することができ、製造工程を簡略化することができる。
また導電部は、雄型接続部材の外表面を導電性金属で被覆するような構成であってもよい。つまり導電部を有する雄型接続部材を複数の導電性金属で形成するような構成とすることができる。例えば雄型接続部材を銅で形成し、導電部を金で形成するような構成とすることができる。このような構成とすることで、製造コストを抑えたコネクタとすることができる。
【００５７】
また既述した変形例を除き、本発明の実施形態においては、雌型接続部材を樹脂で形成し、雌型接続部材の内表面を導電性金属で被覆することで導電部を形成する構成としたが、必ずしもこのような構成に限るものではない。
【００５８】
例えば、雌型接続部材を溝条に形成された導電性金属からなる構成とすることができる。
この場合、導電部は、雌型接続部材と一体成形するような構成とすることができる。このような構成とすることで、導電部を有する雌型接続部材を単一の導電性金属で形成することができ、製造工程を簡略化することができる。
また導電部は、雌型接続部材の内表面を導電性金属で被覆するような構成であってもよい。つまり導電部を有する雌型接続部材を複数の導電性金属で形成するような構成とすることができる。例えば雌型接続部材を銅で形成し、導電部を金で形成するような構成とすることができる。このような構成とすることで、製造コストを抑えたコネクタとすることができる。
【００５９】
また本発明の実施形態においては、雄型接続部材と雄側プリント配線板の配線部との接続は、雄型接続部材の端面で配線部と接続する構成としたが、必ずしもこのような構成に限るものではなく、雄型接続部材と雄側プリント配線板の配線部とを電気接続できる構成であれば如何なるものであってもよい。
【００６０】
また本発明の実施形態においては、雄型接続部材及び雌型接続部材を３個備える構成としたが、必ずしもこのような構成に限るものではなく、少なくとも雄型接続部材及び雌型接続部材を１個以上備える構成であれば如何なるものであってもよい。
【産業上の利用可能性】
【００６１】
本発明は一方のプリント配線板と他方のプリント配線板とを連結固定させると共に、相互のプリント配線板の電気接続も完成させることができるコネクタとして利用することができる。
【符号の説明】
【００６２】
１          電気接続構造体
１００      雄側プリント配線板
１１０      雄コネクタ
１１１      雄型接続部材
１１２      導電部
１１２ａ    端面
１２０      プリント配線板
１２１      基板
１２２      配線部
１２２ａ    厚み
２００      雌側プリント配線板
２１０      雌コネクタ
２１１      雌型接続部材
２１１ａ    受片
２１１ｂ    受片
２１２      導電部
２１２ａ    端面
２２０      プリント配線板
２２１      基板
２２２      配線部
２２２ａ    厚み
３００      雌側プリント配線板
Ｌ          先端部
Ｍ          溝条受部
【図１】
2010257783.tif 000003
【図２】
2010257783.tif 000004
【図３】
2010257783.tif 000005
【図４】
2010257783.tif 000006